(57)【要約】【課題】互いに相違するパラメータに応じて変化する複数の情報を同時に表示できる表示機構を提供する。【解決手段】表示機構は、複数のモータと、複数のモータによりそれぞれ独立して駆動され、互いに同軸に設けられた複数の出力軸と、第２出力軸に取り付けられ、太陽マーク４３および月マークが表示された表示面４１を有する下表示板４０と、第１出力軸に取り付けられ、下表示板４０に対して回転可能に設けられ、下表示板４０の表示面４１の一部を覆う上表示板５０と、複数のモータを制御する制御部と、を備える。【選択図】図１
2019144127.tif 000002
【特許請求の範囲】
【請求項１】
複数のモータと、
前記複数のモータによりそれぞれ独立して駆動され、互いに同軸に設けられた複数の出力軸と、
前記出力軸に取り付けられ、太陽および月のうち少なくともいずれか一方を示す絵柄が表示された表示面を有する下表示板と、
前記出力軸に取り付けられ、前記下表示板に対して回転可能に設けられ、前記下表示板の前記表示面の一部を覆う上表示板と、
前記複数のモータを制御する制御部と、
を備えることを特徴とする表示機構。
【請求項２】
前記上表示板は、前記出力軸の軸方向に互いに重ねて設けられた第１上表示板および第２上表示板を備え、
前記第１上表示板および前記第２上表示板は、互いに独立して回転可能に設けられている、
ことを特徴とする請求項１に記載の表示機構。
【請求項３】
前記絵柄は、月を示す月マークを含み、
前記制御部は、前記上表示板によって前記月マークの一部を覆いつつ前記下表示板および前記上表示板を回転させるように、前記モータを制御する、
ことを特徴とする請求項１または請求項２に記載の表示機構。
【請求項４】
前記月マークは、
円形状の満月マークと、
半円状の半月マークと、
を含む、
ことを特徴とする請求項３に記載の表示機構。
【請求項５】
前記絵柄は、太陽を示す太陽マークを含み、
前記制御部は、前記上表示板によって覆われる前記太陽マークの面積が変化するように、前記モータを制御する、
ことを特徴とする請求項１から請求項４のいずれか１項に記載の表示機構。
【請求項６】
前記上表示板には、時計の文字板に表示された目盛りを指示する目盛り指示部が設けられ、
前記制御部は、前記目盛りと前記目盛り指示部との組み合わせによって、日の出の時刻、および日没時刻のうち少なくともいずれか一方を表示するように、前記モータを制御する、
ことを特徴とする請求項１から請求項５のいずれか１項に記載の表示機構。
【請求項７】
前記絵柄は、月を示す月マークを含み、
前記上表示板は、
前記出力軸回りの周方向のうち第１方向に向き、前記第１方向に向かって膨出する第１凸端縁と、
前記周方向のうち前記第１方向とは反対方向の第２方向に向き、前記第２方向に向かって膨出する第２凸端縁と、
前記第１方向に向き、前記第２方向に向かって窪む第１凹端縁と、
前記第２方向に向き、前記第１方向に向かって窪む第２凹端縁と、
を備える、
ことを特徴とする請求項１から請求項６のいずれか１項に記載の表示機構。
【請求項８】
請求項１から請求項７のいずれか１項に記載の表示機構を備えることを特徴とするムーブメント。
【請求項９】
請求項８に記載のムーブメントを備えることを特徴とする時計。
【発明の詳細な説明】
【技術分野】
【０００１】
本発明は、表示機構、ムーブメントおよび時計に関するものである。
【背景技術】
【０００２】
腕時計等の時計は、時刻を表示する機能に加えて、時刻以外の情報を表示する機能も有している場合がある。例えば、時刻の表示機能以外に、月の満ち欠けを表示する、いわゆるムーンフェイズ表示機能や、日出没の状態を表示する機能を備えた時計が知られている。この種の時計は、月や太陽等を示す絵柄が表示された部材と、月や太陽等を示す絵柄を覆うことが可能な部材と、のうちいずれか一方が回転することによって、月や太陽等を示す絵柄の視認状態を変化させる（例えば、特許文献１参照）。
【０００３】
特許文献１には、日出没の状態の表示用の太陽マークが表示されるとともに月を表す月マークが形成された文字板と、文字板を覆って２４時間周期で回転する回転部材と、を備え、回転部材は、回転位置に応じて太陽マークの視認状態を変化させる日出没指示部と、回転位置に応じて月マークの視認状態を変化させる月指示部と、を有する時計が開示されている。
【先行技術文献】
【特許文献】
【０００４】
【特許文献１】国際公開第２０１７／１５４８８７号
【発明の概要】
【発明が解決しようとする課題】
【０００５】
しかしながら、従来技術にあっては、月や太陽等を示す絵柄が表示された部材と、月や太陽等を示す絵柄を覆うことが可能な部材と、のうち一方の部材のみが回転するので、１つの部材の回転位置に応じた情報しか表示できない。例えば、第１部材を回転させて第２部材に表示された絵柄の視認状態を変化させる際に、表示機構が絵柄の視認状態以外に表示できる情報は、絵柄の視認状態の変化に連動した情報に限定される。したがって、例えば時刻に応じて変化する情報、および日付に応じて変化する情報のように、互いに相違するパラメータに応じて変化する複数の情報を同時に表示することが難しい。
【０００６】
そこで本発明は、互いに相違するパラメータに応じて変化する複数の情報を同時に表示できる表示機構、ムーブメント、および時計を提供するものである。
【課題を解決するための手段】
【０００７】
本発明の表示機構は、複数のモータと、前記複数のモータによりそれぞれ独立して駆動され、互いに同軸に設けられた複数の出力軸と、前記出力軸に取り付けられ、太陽および月のうち少なくともいずれか一方を示す絵柄が表示された表示面を有する下表示板と、前記出力軸に取り付けられ、前記下表示板に対して回転可能に設けられ、前記下表示板の前記表示面の一部を覆う上表示板と、前記複数のモータを制御する制御部と、を備えることを特徴とする。
【０００８】
本発明によれば、制御部によって下表示板および上表示板を互いに独立して任意に回転させることができる。このため、下表示板の表示面に表示された絵柄の位置を変化させることができるとともに、上表示板によって絵柄を覆うことで絵柄の視認状態を変化させることができる。したがって、互いに相違するパラメータに応じて変化する複数の情報を同時に表示できる。
また、下表示板および上表示板は、制御部によって任意に回転するので、現在時刻にのみ連動して回転する場合と比較して、表示できる情報の種類が多くなる。
【０００９】
上記の表示機構において、前記上表示板は、前記出力軸の軸方向に互いに重ねて設けられた第１上表示板および第２上表示板を備え、前記第１上表示板および前記第２上表示板は、互いに独立して回転可能に設けられている、ことが望ましい。
【００１０】
本発明によれば、上表示板によって覆われる下表示板の表示面の面積を適宜変化させることができる。これにより、例えば、日の出から日没までの時間に太陽を示す絵柄を上表示板から露出した領域で移動させる際に、上表示板から露出した表示面の面積を地域や日付等に応じて変化させることで、日の出から日没までの時間の長さを地域や日付等に応じて表示することができる。したがって、より多くの情報を表示することが可能となる。
【００１１】
上記の表示機構において、前記絵柄は、月を示す月マークを含み、前記制御部は、前記上表示板によって前記月マークの一部を覆いつつ前記下表示板および前記上表示板を回転させるように、前記モータを制御する、ことが望ましい。
【００１２】
本発明によれば、月マークの一部のみが視認可能な状態で、月マークの位置を変化させることができる。これにより、表示機構は、月齢に応じた満ち欠けが表現された月マークを移動させることができる。したがって、月齢および月の位置を同時に表示することができる。また、表示機構は、月食を表示することができる。
【００１３】
上記の表示機構において、前記月マークは、円形状の満月マークと、半円状の半月マークと、を含む、ことが望ましい。
【００１４】
本発明によれば、半月マークの全体を視認させることにより、上弦の月および下弦の月のうち少なくともいずれか一方を表現することができる。したがって、表示機構は、月齢に応じた月の満ち欠けをより忠実に表現することができる。
【００１５】
上記の表示機構において、前記絵柄は、太陽を示す太陽マークを含み、前記制御部は、前記上表示板によって覆われる前記太陽マークの面積が変化するように、前記モータを制御する、ことが望ましい。
【００１６】
本発明によれば、上表示板の任意の回転位置において、太陽マークの視認状態を変化させることができる。これにより、日出没時のように太陽の一部が地平線下に位置する状態を任意の位置に表示することができる。したがって、太陽マークおよび上表示板の回転位置を日出没時刻に対応付けることで、日出没時の太陽の状態と、日出没時刻と、を同時に表示することができる。また、表示機構は、日食を表示することができる。
【００１７】
上記の表示機構において、前記上表示板には、時計の文字板に表示された目盛りを指示する目盛り指示部が設けられ、前記制御部は、前記目盛りと前記目盛り指示部との組み合わせによって、日の出の時刻、および日没時刻のうち少なくともいずれか一方を表示するように、前記モータを制御する、ことが望ましい。
【００１８】
本発明によれば、上表示板の回転位置を地域や日付等に応じて設定することによって、地域や日付等に応じた日出没時刻を表示することができる。
【００１９】
上記の表示機構において、前記絵柄は、月を示す月マークを含み、前記上表示板は、前記出力軸回りの周方向のうち第１方向に向き、前記第１方向に向かって膨出する第１凸端縁と、前記周方向のうち前記第１方向とは反対方向の第２方向に向き、前記第２方向に向かって膨出する第２凸端縁と、前記第１方向に向き、前記第２方向に向かって窪む第１凹端縁と、前記第２方向に向き、前記第１方向に向かって窪む第２凹端縁と、を備える、ことが望ましい。
【００２０】
本発明によれば、第１凸端縁または第２凸端縁を月マークに重ねることによって、半月よりも欠けた月の形状を表現することができる。また、第１凹端縁または第２凹端縁を月マークに重ねることによって、半月よりも満ちた月の形状を表現することができる。
【００２１】
本発明のムーブメントは、上記の表示機構を備えることを特徴とする。
【００２２】
本発明によれば、互いに相違するパラメータに応じて変化する複数の情報を同時に表示できるムーブメントを提供できる。
【００２３】
本発明の時計は、上記のムーブメントを備えることを特徴とする。
【００２４】
本発明によれば、互いに相違するパラメータに応じて変化する複数の情報を同時に表示できる時計を提供できる。
【発明の効果】
【００２５】
本発明によれば、互いに相違するパラメータに応じて変化する複数の情報を同時に表示できる表示機構、ムーブメント、および時計を提供することができる。
【図面の簡単な説明】
【００２６】
【図１】第１実施形態の時計の平面図である。
【図２】第１実施形態のムーブメントを裏側から見た斜視図である。
【図３】第１実施形態のムーブメントを表側から見た斜視図である。
【図４】第１実施形態のムーブメントの一部を示す分解斜視図である。
【図５】第１実施形態の表示機構の表示例を示す図である。
【図６】第１実施形態の表示機構の表示例を示す図である。
【図７】第２実施形態の時計の平面図である。
【図８】第２実施形態のムーブメントを裏側から見た斜視図である。
【図９】第２実施形態のムーブメントを表側から見た斜視図である。
【図１０】第２実施形態のムーブメントの一部を示す分解斜視図である。
【図１１】第２実施形態の表示機構の表示例を示す図である。
【図１２】第２実施形態の表示機構の表示例を示す図である。
【図１３】第３実施形態の時計の平面図である。
【図１４】第３実施形態のムーブメントの一部を示す分解斜視図である。
【図１５】第３実施形態の表示機構の表示例を示す図である。
【図１６】第４実施形態の時計の平面図である。
【図１７】第４実施形態のムーブメントの一部を示す分解斜視図である。
【図１８】第４実施形態の表示機構の表示例を示す図である。
【発明を実施するための形態】
【００２７】
以下、本発明の実施形態を図面に基づいて説明する。以下の実施形態では、時計の一例として、スマートフォン等の外部機器との間で通信可能に形成されたアナログクォーツ式の電子時計を例に挙げて説明する。なお以下の説明では、同一または類似の機能を有する構成に同一の符号を付す。そして、それら構成の重複する説明は省略する場合がある。
【００２８】
［第１実施形態］
最初に第１実施形態の時計１、ムーブメント１０および表示機構２０について説明する。以下では、まず時計１および時計１に組み込まれたムーブメント１０について説明したあと、表示機構２０の詳細について説明する。
【００２９】
（時計）
一般に、時計の駆動部分を含む機械体を「ムーブメント」と称する。このムーブメントに文字板、指針を取り付けて、時計ケースの中に入れて完成品にした状態を時計の「コンプリート」と称する。また、ムーブメントに対する時計ケースのガラス側、すなわち、文字板側をムーブメントの「裏側」と称する。また、ムーブメントに対する時計ケースのケース裏蓋側、すなわち、文字板とは反対側をムーブメントの「表側」と称する。
【００３０】
図１は、第１実施形態の時計の平面図である。
図１に示すように、時計１のコンプリートは、ケース裏蓋（不図示）およびガラス３を含む時計ケース４の内部に、ムーブメント１０、文字板１１、時針１２および分針１３を備える。時針１２および分針１３は、時刻を指示する。時針１２および分針１３は、文字板１１の中心を通る第１軸線Ｏ回りに回転する。第１軸線Ｏは、ムーブメント１０の表裏方向に沿って延びている。
【００３１】
文字板１１は、円板状に形成されている。文字板１１には、文字板１１を貫通する窓部１４と、窓部１４の開口縁に沿って配置された目盛り１５と、が設けられている。窓部１４は、第１軸線Ｏに対して６時側の領域に設けられている。窓部１４は、第２軸線Ｐを中心とする円形状に形成されている。第２軸線Ｐは、第１軸線Ｏと平行に設けられている。目盛り１５は、時刻に関する情報を示す数字目盛り１６と、方向に関する情報を示す方向目盛り１７と、を備える。
【００３２】
数字目盛り１６は、後述する目盛り指示部５４Ａ，５４Ｂとの組み合わせにより２４時間制の時刻を表示する。ここで、第１軸線Ｏに対する１２時側を上側、第１軸線Ｏに対する６時側を下側、第１軸線Ｏに対する３時側を右側、第１軸線Ｏに対する９時側を左側として上下左右方向を定義する。図示の例では、数字目盛り１６は、第２軸線Ｐ回りを等角度間隔で並ぶ「１」から「２４」の整数を表示している。この場合、数字目盛り１６の「６」は、窓部１４に対する左側に表示されている。数字目盛り１６の「１２」は、窓部１４に対する上側に表示されている。数字目盛り１６の「１８」は、窓部１４に対する右側に表示されている。数字目盛り１６の「２４」は、窓部１４に対する下側に表示されている。
【００３３】
方向目盛り１７は、後述する太陽マーク４３および月マーク４４との組み合わせにより太陽および月の方向を表示する。図示の例では、方向目盛り１７は、「東」、「西」、「正中」および「地」の文字を表示している。この場合、方向目盛り１７の「東」は、窓部１４に対する左側に表示されている。方向目盛り１７の「西」は、窓部１４に対する右側に表示されている。方向目盛り１７の「正中」は、窓部１４に対する上側に表示されている。方向目盛り１７の「地」は、窓部１４に対する下側に表示されている。
【００３４】
時計ケース４の側面のうち、２時に位置する部分、および４時に位置する部分のそれぞれにはボタン５が設けられている。ボタン５は、時針１２および分針１３が示す時刻を修正する時刻修正や、時計１が実行するモードの切り替え等に用いられる。
【００３５】
（ムーブメント）
図２は、第１実施形態のムーブメントを裏側から見た斜視図である。図３は、第１実施形態のムーブメントを表側から見た斜視図である。
図２および図３に示すように、ムーブメント１０は、第１機構モジュール２１Ａおよび第２機構モジュール２１Ｂと、第１機構モジュール２１Ａおよび第２機構モジュール２１Ｂの表側に配置され第１機構モジュール２１Ａおよび第２機構モジュール２１Ｂを制御する制御部２３と、第１機構モジュール２１Ａ、第２機構モジュール２１Ｂおよび制御部２３を保持するモジュール枠２５と、第２機構モジュール２１Ｂに取り付けられた下表示板４０および上表示板５０と、を備えている。
【００３６】
第１機構モジュール２１Ａおよび第２機構モジュール２１Ｂは、同様に構成されている。以下、第１機構モジュール２１Ａおよび第２機構モジュール２１Ｂを区別しない場合は、機構モジュール２１Ａ，２１Ｂと表記する。機構モジュール２１Ａ，２１Ｂは、複数（本実施形態では２個）のモータ３０Ａ，３０Ｂと、互いに独立して駆動される複数（本実施形態では２個）の出力軸３１Ａ，３１Ｂと、モータ３０Ａ，３０Ｂの駆動力を出力軸３１Ａ，３１Ｂに伝達する輪列（不図示）と、モータ３０Ａ，３０Ｂや輪列等を支持する支持体３３と、を備えている。支持体３３は、機構モジュール２１Ａ，２１Ｂの外郭を形成する。支持体３３は、モータ３０Ａ，３０Ｂや輪列等、機構モジュール２１Ａ，２１Ｂの各構成要素を支持している。支持体３３は、時計本体に対して着脱可能の別体のユニットの形態として構成され、当該形態はいわゆるカセットタイプやカートリッジタイプと称することもできる。この場合、機構モジュール２１Ａ，２１Ｂは、時計本体を完成品とした場合の半製品、中間製品として取り扱われるものである。
【００３７】
複数のモータ３０Ａ，３０Ｂは、パルス信号を入力されることによってステップ駆動するステッピングモータである。複数のモータ３０Ａ，３０Ｂは、第１モータ３０Ａと、第２モータ３０Ｂと、である。
【００３８】
複数の出力軸３１Ａ，３１Ｂは、複数のモータ３０Ａ，３０Ｂと同数設けられている。複数の出力軸３１Ａ，３１Ｂは、第１モータ３０Ａにより駆動される第１出力軸３１Ａと、第２モータ３０Ｂにより駆動される第２出力軸３１Ｂと、である。複数の出力軸３１Ａ，３１Ｂは、互いに同軸に設けられている。第２出力軸３１Ｂは、中空状に形成され、第１出力軸３１Ａに外挿されている。
【００３９】
図１および図２に示すように、複数の出力軸３１Ａ，３１Ｂは、ムーブメント１０の表裏方向に沿って延び、ムーブメント１０の裏側に向かって突出している。第１機構モジュール２１Ａの出力軸３１Ａ，３１Ｂは、第１軸線Ｏを中心軸線とし、文字板１１の中心から突出している。第１機構モジュール２１Ａの第１出力軸３１Ａには、分針１３が取り付けられている。第１機構モジュール２１Ａの第２出力軸３１Ｂには、時針１２が取り付けられている。第２機構モジュール２１Ｂの出力軸３１Ａ，３１Ｂは、第２軸線Ｐを中心軸線とし、文字板１１の窓部１４の中心と同心となるように配置されている。第２機構モジュール２１Ｂの出力軸３１Ａ，３１Ｂには、下表示板４０および上表示板５０が取り付けられている（詳細は後述）。なお、以下の説明では、第２軸線Ｐ回りの周方向のうち、ムーブメント１０の裏側から見て時計回り方向をＣＷ方向（第１方向）と称し、ムーブメントの裏側から見て反時計回り方向をＣＣＷ方向（第２方向）と称する。
【００４０】
図３に示すように、制御部２３は、プリント基板である基板本体２４に、図示しないＩＣや水晶ユニット、外部機器と通信するアンテナ等が実装されたものである。基板本体２４は、ムーブメント１０の表裏方向から見て円形状に形成されている。基板本体２４における機構モジュール２１Ａ，２１Ｂと対向する面には、プリント配線からなる送信端子（不図示）が形成されている。送信端子には、複数のモータ３０Ａ，３０Ｂが電気的に接続される。制御部２３は、送信端子から複数のモータ３０Ａ，３０Ｂに駆動パルスを送信して、複数のモータ３０Ａ，３０Ｂを制御する。また、制御部２３は、スマートフォン等の外部機器と通信して各種情報を取得する。制御部２３が外部機器から取得する情報は、日の出の時刻や正中の時刻、日没時刻、月の出の時刻、月の入りの時刻、月齢等は含む。例えば、制御部２３が外部機器から取得する情報は、時計１または外部機器の現在地に基づく。
【００４１】
図２に示すように、モジュール枠２５は、例えば樹脂材料等により、制御部２３と略同径の円盤状に形成されている。モジュール枠２５には、モジュール配置部２５ａが形成されている。モジュール配置部２５ａは、モジュール枠２５をムーブメント１０の表裏方向に貫通している。モジュール配置部２５ａは、ムーブメント１０の表裏方向から見て機構モジュール２１Ａ，２１Ｂに対応する形状に形成されている。モジュール配置部２５ａには、機構モジュール２１Ａ，２１Ｂが配置される。図３に示すように、機構モジュール２１Ａ，２１Ｂは、複数のネジ２６により制御部２３に固定された状態で、モジュール枠２５に取り付けられる。
【００４２】
図４は、第１実施形態のムーブメントの一部を示す分解斜視図である。
図４に示すように、下表示板４０および上表示板５０は、第２機構モジュール２１Ｂの複数の出力軸３１Ａ，３１Ｂのうち、互いに異なる出力軸に取り付けられている。下表示板４０は、第２機構モジュール２１Ｂの第２出力軸３１Ｂに取り付けられている。上表示板５０は、第２機構モジュール２１Ｂの第１出力軸３１Ａに取り付けられている。下表示板４０および上表示板５０は、ムーブメント１０の表裏方向から見て、文字板１１の窓部１４の内側に配置されている（図１参照）。
【００４３】
下表示板４０は、第２軸線Ｐを中心とする円板状に形成されている。下表示板４０は、ムーブメント１０の裏側を向く表示面４１を有する。表示面４１は、文字板１１の窓部１４（図１参照）を通じて視認可能とされている。表示面４１には、昼間表示領域４１ａと、夜間表示領域４１ｂと、が設けられている。昼間表示領域４１ａおよび夜間表示領域４１ｂは、それぞれ表示面４１を２分割して形成された半円状の領域である。表示面４１には、太陽を示す太陽マーク４３と、月を示す月マーク４４と、を含む絵柄が表示されている。太陽マーク４３は、昼間表示領域４１ａにおいて、第２軸線Ｐ回りの周方向の中央に表示されている。太陽マーク４３は、円形状の本体部４３ａと、本体部４３ａの周囲に放射状に設けられた放射部４３ｂと、を備えている。月マーク４４は、夜間表示領域４１ｂにおいて、第２軸線Ｐ回りの周方向の中央に表示されている。月マーク４４は、太陽マーク４３の本体部４３ａと略同大の円形状に形成されている。なお、図示の例では、表示面４１に表示された絵柄として、複数の星マークを含んでいる。複数の星マークは、夜間表示領域４１ｂに表示され、月マーク４４を避けつつランダムに配置されている。
【００４４】
上表示板５０は、下表示板４０に対して回転可能に設けられている。上表示板５０は、下表示板４０の表示面４１の一部を覆う。上表示板５０は、第２軸線Ｐを中心とする半円状に形成されている。上表示板５０は、ＣＷ方向に向く第１端縁５１と、ＣＣＷ方向に向く第２端縁５２と、を備えている。第１端縁５１は、ＣＷ方向に向かって膨出する円弧状に延びている。第２端縁５２は、ＣＣＷ方向に向かって膨出する円弧状に延びている。
【００４５】
上表示板５０におけるムーブメント１０の裏側を向く面には、一対の目盛り指示部５４Ａ，５４Ｂが設けられている。目盛り指示部５４Ａ，５４Ｂは、上表示板５０の回転位置に応じて、文字板１１の目盛り１５（図１参照）を指示するマークである。一対の目盛り指示部５４Ａ，５４Ｂは、第２軸線Ｐ回りの周方向で互いに１８０°ずれた位置に設けられている。第１の目盛り指示部５４Ａは、上表示板５０の径方向において、第１端縁５１の外側の端部近傍に設けられている。第２の目盛り指示部５４Ｂは、上表示板５０の径方向において、第２端縁５２の外側の端部近傍に設けられている。なお、図示の例では、上表示板５０におけるムーブメント１０の裏側を向く面には、複数の星マークが表示されている。複数の星マークは、ランダムに配置されている。
【００４６】
本実施形態のムーブメント１０は、第２機構モジュール２１Ｂの複数のモータ３０Ａ，３０Ｂおよび複数の出力軸３１Ａ，３１Ｂと、下表示板４０と、上表示板５０と、制御部２３と、を有する表示機構２０をさらに備えている。表示機構２０は、太陽および月の状態表示を行う。以下、本実施形態の表示機構２０の動作について、図５および図６を参照して説明する。なお、以下の説明における各構成部品の符号については、図１から図４を参照されたい。
【００４７】
最初に日の出前から日没後までの表示形態について説明する。
図５および図６は、第１実施形態の表示機構の表示例を示す図である。図５で示す例は、夏至の日の出前から、夏至の翌日の日の出前までの表示形態である。図６で示す例は、冬至の日の出前から、冬至の翌日の日の出前までの表示形態である。
表示機構２０は、日の出の時刻の第１所定時間（図５に示す例では３０分、図６に示す例では２８分）前の薄明時から、日没時刻の第１所定時間経過後まで、太陽の位置、および日の出の時刻または日没時刻を表示する。
【００４８】
制御部２３は、日の出前の薄明時に、上表示板５０の第１の目盛り指示部５４Ａによって数字目盛り１６における日の出の時刻を指示するように、第１モータ３０Ａを制御する。また、制御部２３は、日の出前の薄明時に、上表示板５０によって太陽マーク４３の本体部４３ａが覆われつつ、上表示板５０の第１端縁５１から太陽マーク４３の放射部４３ｂがＣＷ方向に露出するように、第２モータ３０Ｂを制御する。これにより、表示機構２０は、方向目盛り１７の「東」の文字が表示された領域の近傍で太陽マーク４３の放射部４３ｂを露出させることにより、日の出直前であることを表示する。
【００４９】
制御部２３は、日の出の時刻から第２所定時間後（図示の例では２分後）にかけて、太陽マーク４３の本体部４３ａが上表示板５０の第１端縁５１から徐々に露出するように、第２モータ３０Ｂを制御する。具体的に、制御部２３は、上表示板５０を静止させつつ、下表示板４０をＣＷ方向に回転させるように、第２モータ３０Ｂ制御する。この際、制御部２３は、日の出の時刻の第２所定時間後に、太陽マーク４３の本体部４３ａが上表示板５０から完全に露出するように、第２モータ３０Ｂを制御する。これにより、表示機構２０は、日の出の様子を表示する。
【００５０】
制御部２３は、日の出の時刻の第２所定時間経過後から、日没時刻の第２所定時間前にかけて、下表示板４０および上表示板５０をＣＷ方向に回転させるように、複数のモータ３０Ａ，３０Ｂを制御する。この際、制御部２３は、正中の時刻に、第２軸線Ｐ周りの周方向において太陽マーク４３が方向目盛り１７の「正中」の文字と同じ位置に位置するように、第２モータ３０Ｂを制御する。すなわち、制御部２３は、正中の時刻に、第２軸線Ｐに対する上側に太陽マーク４３が位置するように、第２モータ３０Ｂを制御する。また、制御部２３は、正中の時刻に第１の目盛り指示部５４Ａが数字目盛り１６の「６」を指示し、第２の目盛り指示部５４Ｂが数字目盛り１６の「１８」を指示するように、第１モータ３０Ａを制御する。なお、日の出の時刻の第２所定時間経過後から、日没時刻の第２所定時間前にかけての下表示板４０および上表示板５０の移動は、ＣＷ方向に回転させること以外、特に限定されない。例えば、下表示板４０および上表示板５０は、日の出の時刻の第２所定時間経過後から、日没時刻の第２所定時間前にかけて、連続的にＣＷ方向に回転する。
【００５１】
制御部２３は、日没時刻の第２所定時間前に、上表示板５０の第２の目盛り指示部５４Ｂによって、数字目盛り１６における日没時刻の時に対応する数字を指示するように、第１モータ３０Ａを制御する。また、制御部２３は、日没の第２所定時間前から日没時刻にかけて、太陽マーク４３の本体部４３ａが上表示板５０の第２端縁５２の内側に徐々に覆われるように、第２モータ３０Ｂを制御する。具体的に、制御部２３は、上表示板５０を静止させつつ、下表示板４０をＣＷ方向に回転させるように、第２モータ３０Ｂを制御する。この際、制御部２３は、日没時刻に、太陽マーク４３の本体部４３ａが上表示板５０によって完全に覆われるように、第２モータ３０Ｂを制御する。これにより、表示機構２０は、日没の様子を表示する。その後、制御部２３は、日没時刻から第１所定時間後まで、表示状態を維持する。
【００５２】
このように、制御部２３は、日出没時において、上表示板５０によって覆われる太陽マーク４３の面積が変化するように、複数のモータ３０Ａ，３０Ｂを制御する。また、制御部２３は、日の出時において、数字目盛り１６と目盛り指示部５４Ａ，５４Ｂとの組み合わせによって日の出の時刻を表示するように、複数のモータ３０Ａ，３０Ｂを制御する。また、制御部２３は、日没時において、数字目盛り１６と目盛り指示部５４Ａ，５４Ｂとの組み合わせによって日没時刻を表示するように、複数のモータ３０Ａ，３０Ｂを制御する。
【００５３】
次に、日没後から日の出前までの表示形態について説明する。
表示機構２０は、日没時刻の第１所定時間経過後から、翌日の日の出の時刻の第１所定時間前まで、月の位置および月齢を表示する。
【００５４】
制御部２３は、月マーク４４と方向目盛り１７との組み合わせによって現在時刻における月の位置を表示するように第２モータ３０Ｂを制御する。例えば、月マーク４４が第２軸線Ｐ周りの周方向において方向目盛り１７の「正中」の文字と同じ位置に位置するとき、月が正中したことを意味する。また、月マーク４４の中心が方向目盛り１７の「東」と「西」とを結ぶ線分よりも下側に位置する場合、月が月の入りし、月が地平線下に位置していることを意味する。
【００５５】
制御部２３は、上表示板５０の第１端縁５１または第２端縁５２を月マーク４４に重ねることによって当日の月齢に応じた月の形状を表現するように、第１モータ３０Ａを制御する。具体的に、制御部２３は、月齢が１以上１５未満の場合、上表示板５０の第１端縁５１を月マーク４４に重ねるように、第１モータ３０Ａを制御する。また、制御部２３は、月齢が１６以上２９未満の場合、上表示板５０の第２端縁５２を月マーク４４に重ねるように、第１モータ３０Ａを制御する。また、制御部２３は、月齢が０以上１未満の場合、および月齢が２９以上の場合、上表示板５０を月マーク４４の全体に重ねるように、第１モータ３０Ａを制御する。また制御部２３は、月齢が１５以上１６未満の場合、上表示板５０が月マーク４４に重ならないように、第１モータ３０Ａを制御する。
【００５６】
このように、制御部２３は、日没後から日の出前までにおいて、上表示板５０によって月マーク４４の一部を覆いつつ下表示板４０および上表示板５０を回転させるように、複数のモータ３０Ａ，３０Ｂを制御する。
【００５７】
以上に詳述したように、本実施形態の表示機構２０は、複数のモータ３０Ａ，３０Ｂと、複数のモータ３０Ａ，３０Ｂによりそれぞれ独立して駆動され、互いに同軸に設けられた複数の出力軸３１Ａ，３１Ｂと、第２出力軸３１Ｂに取り付けられ、太陽マーク４３および月マーク４４が表示された表示面４１を有する下表示板４０と、第１出力軸３１Ａに取り付けられ、下表示板４０に対して回転可能に設けられ、下表示板４０の表示面４１の一部を覆う上表示板５０と、複数のモータ３０Ａ，３０Ｂを制御する制御部２３と、を備える。
この構成によれば、制御部２３によって下表示板４０および上表示板５０を互いに独立して任意に回転させることができる。このため、下表示板４０の表示面４１に表示された太陽マーク４３および月マーク４４の位置を変化させることができるとともに、上表示板５０によって太陽マーク４３および月マーク４４を覆うことで太陽マーク４３および月マーク４４の視認状態を変化させることができる。したがって、時刻に応じて変化する情報、および日付に応じて変化する情報のように、互いに相違するパラメータに応じて変化する複数の情報を同時に表示できる。
【００５８】
また、下表示板４０および上表示板５０は、制御部２３によって任意に回転するので、現在時刻にのみ連動して回転する場合と比較して、表示できる情報の種類が多くなる。
【００５９】
また、制御部２３は、上表示板５０によって月マーク４４の一部を覆いつつ下表示板４０および上表示板５０を回転させるように、複数のモータ３０Ａ，３０Ｂを制御する。この構成によれば、月マーク４４の一部のみが視認可能な状態で、月マーク４４の位置を変化させることができる。これにより、表示機構２０は、月齢に応じた満ち欠けが表現された月マーク４４を移動させることができる。したがって、月齢および月の位置を同時に表示することができる。
【００６０】
また、制御部２３は、上表示板５０によって覆われる太陽マーク４３の面積が変化するように、複数のモータ３０Ａ，３０Ｂを制御する。この構成によれば、上表示板５０の任意の回転位置において、太陽マーク４３の視認状態を変化させることができる。これにより、日出没時のように太陽の一部が地平線下に位置する状態を任意の位置に表示することができる。したがって、太陽マーク４３および上表示板５０の回転位置を日出没時刻に対応付けることで、日出没時の太陽の状態と、日出没時刻と、を同時に表示することができる。
【００６１】
また、制御部２３は、数字目盛り１６と目盛り指示部５４Ａ，５４Ｂとの組み合わせによって、日の出の時刻、および日没時刻を表示するように、複数のモータ３０Ａ，３０Ｂを制御する。この構成によれば、上表示板５０の回転位置を地域や日付等に応じて設定することによって、地域や日付等に応じた日出没時刻を表示することができる。
【００６２】
そして、本実施形態のムーブメント１０は、上述の表示機構２０を備えている。また、本実施形態の時計１は、ムーブメント１０を備える。このため、互いに相違するパラメータに応じて変化する複数の情報を同時に表示できるムーブメント１０および時計１を提供できる。
【００６３】
［第２実施形態］
次に、第２実施形態の時計１０１、ムーブメント１１０および表示機構１２０について説明する。第２実施形態では、上表示板１５０が第１上表示板１５０Ａおよび第２上表示板１５０Ｂを備える点で、第１実施形態と異なっている。なお、以下で説明する以外の構成は、第１実施形態と同様である。
【００６４】
図７は、第２実施形態の時計の平面図である。
図７に示すように、時計１０１のコンプリートは、時計ケース４の内部に、ムーブメント１１０、文字板１１、時針１２および分針１３を備える。
【００６５】
図８は、第２実施形態のムーブメントを裏側から見た斜視図である。図９は、第２実施形態のムーブメントを表側から見た斜視図である。
図８および図９に示すように、ムーブメント１１０は、第１機構モジュール２１Ａおよび第２機構モジュール１２１Ｂと、制御部２３と、モジュール枠２５と、第２機構モジュール１２１Ｂに取り付けられた下表示板４０および上表示板１５０と、を備えている。
【００６６】
図１０は、第２実施形態のムーブメントの一部を示す分解斜視図である。
図９および図１０に示すように、第２機構モジュール１２１Ｂは、複数（本実施形態では３個）のモータ１３０Ａ，１３０Ｂ，１３０Ｃと、互いに独立して駆動される複数（本実施形態では３個）の出力軸１３１Ａ，１３１Ｂ，１３１Ｃと、を備えている。複数のモータ１３０Ａ，１３０Ｂ，１３０Ｃは、第１モータ１３０Ａと、第２モータ１３０Ｂと、第３モータ１３０Ｃと、である。
【００６７】
複数の出力軸１３１Ａ，１３１Ｂ，１３１Ｃは、複数のモータ１３０Ａ，１３０Ｂ，１３０Ｃと同数設けられている。複数の出力軸１３１Ａ，１３１Ｂ，１３１Ｃは、第１モータ１３０Ａにより駆動される第１出力軸１３１Ａと、第２モータ１３０Ｂにより駆動される第２出力軸１３１Ｂと、第３モータ１３０Ｃにより駆動される第３出力軸１３１Ｃと、である。複数の出力軸１３１Ａ，１３１Ｂ，１３１Ｃは、互いに同軸に設けられている。第２出力軸１３１Ｂは、中空状に形成され、第１出力軸１３１Ａに外挿されている。第３出力軸１３１Ｃは、中空状に形成され、第２出力軸１３１Ｂに外挿されている。
【００６８】
図７および図１０に示すように、複数の出力軸１３１Ａ，１３１Ｂ，１３１Ｃは、ムーブメント１１０の表裏方向に沿って延び、ムーブメント１１０の裏側に向かって突出している。出力軸１３１Ａ，１３１Ｂ，１３１Ｃは、第２軸線Ｐを中心軸線とし、文字板１１の窓部１４の中心と同心となるように配置されている。第２機構モジュール１２１Ｂの出力軸１３１Ａ，１３１Ｂ，１３１Ｃには、下表示板４０および上表示板１５０が取り付けられている。
【００６９】
図１０に示すように、下表示板４０は、第２機構モジュール１２１Ｂの第３出力軸１３１Ｃに取り付けられている。上表示板１５０は、第２軸線Ｐの軸方向に互いに重ね合わせて設けられた第１上表示板１５０Ａおよび第２上表示板１５０Ｂを備える。第１上表示板１５０Ａおよび第２上表示板１５０Ｂは、互いに独立して回転可能に設けられている。第１上表示板１５０Ａは、第２機構モジュール１２１Ｂの第１出力軸１３１Ａに取り付けられている。第２上表示板１５０Ｂは、第２機構モジュール１２１Ｂの第２出力軸１３１Ｂに取り付けられている。上表示板１５０は、ムーブメント１１０の表裏方向から見て、文字板１１の窓部１４の内側に配置されている（図７参照）。
【００７０】
第１上表示板１５０Ａは、下表示板４０に対して回転可能に設けられている。第１上表示板１５０Ａは、下表示板４０の表示面４１の一部を覆う。第１上表示板１５０Ａは、第２軸線Ｐを中心とする中心角が１８０°よりも小さい扇形状に形成されている。第１上表示板１５０Ａは、ＣＷ方向に向く第１端縁１５１Ａ（第１凹端縁）と、ＣＣＷ方向に向く第２端縁１５２Ａ（第２凸端縁）と、を備えている。第１端縁１５１Ａは、ＣＣＷ方向に向かって窪む円弧状に延びている。第２端縁１５２Ａは、ＣＣＷ方向に向かって膨出する曲線状に延びている。
【００７１】
第２上表示板１５０Ｂは、下表示板４０に対して回転可能に設けられている。第２上表示板１５０Ｂは、下表示板４０の表示面４１の一部を覆う。第２上表示板１５０Ｂは、ムーブメント１１０の表裏方向から見て、第２軸線Ｐ回りの周方向で対称となるように形成されている。第２上表示板１５０Ｂは、ＣＷ方向に向く第１端縁１５１Ｂ（第１凸端縁）と、ＣＣＷ方向に向く第２端縁１５２Ｂ（第２凹端縁）と、を備えている。第１端縁１５１Ｂは、ＣＷ方向に向かって膨出する曲線状に延びている。第２端縁１５２Ｂは、ＣＷ方向に向かって窪む円弧状に延びている。
【００７２】
上表示板１５０におけるムーブメント１１０の裏側を向く面には、一対の目盛り指示部５４Ａ，５４Ｂが設けられている。目盛り指示部５４Ａ，５４Ｂは、上表示板１５０の回転位置に応じて、文字板１１の目盛り１５（図７参照）を指示するマークである。第１の目盛り指示部５４Ａは、第２上表示板１５０Ｂの径方向において、第２上表示板１５０Ｂの第１端縁１５１Ｂの外側の端部近傍に設けられている。第２の目盛り指示部５４Ｂは、第１上表示板１５０Ａの径方向において、第１上表示板１５０Ａの第２端縁１５２Ａの外側の端部近傍に設けられている。なお、図示の例では、第１上表示板１５０Ａおよび第２上表示板１５０Ｂにおけるムーブメント１１０の裏側を向く面には、複数の星マークが表示されている。複数の星マークは、ランダムに配置されている。
【００７３】
本実施形態のムーブメント１１０は、第２機構モジュール１２１Ｂの複数のモータ１３０Ａ，１３０Ｂ，１３０Ｃおよび複数の出力軸１３１Ａ，１３１Ｂ，１３１Ｃと、下表示板４０と、上表示板１５０と、制御部２３と、を有する表示機構１２０をさらに備えている。表示機構１２０は、太陽および月の状態表示を行う。以下、本実施形態の表示機構１２０の動作について、図１１および図１２を参照して説明する。なお、以下の説明における各構成部品の符号については、図７から図１０を参照されたい。
【００７４】
最初に日の出前から日没後までの表示形態について説明する。
図１１は、第２実施形態の表示機構の表示例を示す図である。図１１に示す例は、夏至および冬至における正中時の表示形態である
【００７５】
図１１に示すように、表示機構１２０は、日の出の時刻の第１所定時間前から、日没時刻の第１所定時間経過後まで、太陽の位置、日の出の時刻、および日没時刻を表示する。制御部２３は、日の出の時刻の第１所定時間前の薄明時から、日没時刻の第１所定時間経過後まで、第２上表示板１５０Ｂの第１の目盛り指示部５４Ａによって数字目盛り１６における日の出の時刻を指示するように、第２モータ１３０Ｂを制御する。また、制御部２３は、日の出の時刻の第１所定時間前の薄明時から、日没時刻の第１所定時間経過後まで、第１上表示板１５０Ａの第２の目盛り指示部５４Ｂによって数字目盛り１６における日没時刻を指示するように、第１モータ１３０Ａを制御する。
【００７６】
制御部２３は、図示しないが、日の出の時刻から第２所定時間後にかけて、太陽マーク４３の本体部４３ａが第２上表示板１５０Ｂの第１端縁１５１Ｂから徐々に露出するように、第３モータ１３０Ｃを制御する。具体的に、制御部２３は、上表示板１５０を静止させつつ、下表示板４０をＣＷ方向に回転させるように、第３モータ１３０Ｃを制御する。これにより、表示機構１２０は、日の出の様子を表示する。
【００７７】
制御部２３は、日の出の時刻の第２所定時間経過後から、日没時刻の第２所定時間前にかけて、下表示板４０をＣＷ方向に回転させるように、第３モータ１３０Ｃを制御する。この際、制御部２３は、正中の時刻に、第２軸線Ｐ回りの周方向において太陽マーク４３が方向目盛り１７の「正中」の文字と同じ位置に位置するように、第３モータ１３０Ｃを制御する。この間、上表示板１５０は静止している。
【００７８】
制御部２３は、図示しないが、日没の第２所定時間前から日没時刻にかけて、太陽マーク４３の本体部４３ａが第１上表示板１５０Ａの第２端縁１５２Ａの内側に徐々に覆われるように、第３モータ１３０Ｃを制御する。具体的に、制御部２３は、上表示板１５０を静止させつつ、下表示板４０をＣＷ方向に回転させるように、第３モータ１３０Ｃを制御する。この際、制御部２３は、日没時刻に、太陽マーク４３の本体部４３ａが上表示板１５０によって完全に覆われるように、第３モータ１３０Ｃを制御する。これにより、表示機構１２０は、日没の様子を表示する。
【００７９】
このように、制御部２３は、日出没時において、上表示板１５０によって覆われる太陽マーク４３の面積が変化するように、複数のモータ１３０Ａ，１３０Ｂ，１３０Ｃを制御する。また、制御部２３は、日出没時を含む日の出から日没までの時間において、数字目盛り１６と目盛り指示部５４Ａ，５４Ｂとの組み合わせによって、日の出の時刻、および日没時刻の両方を表示するように、複数のモータ１３０Ａ，１３０Ｂ，１３０Ｃを制御する。
【００８０】
次に、日没後から日の出前までの表示形態について説明する。
図１２は、第２実施形態の表示機構の表示例を示す図である。図１２に示す例は、月齢の異なる複数の日の夜間の表示形態である。
【００８１】
図１２に示すように、表示機構１２０は、第１実施形態の表示機構２０と同様に、日没時刻の第１所定時間経過後から、翌日の日の出の時刻の第１所定時間前まで、月の位置および月齢を表示する。制御部２３は、第１上表示板１５０Ａの第１端縁１５１Ａもしくは第２端縁１５２Ａ、または第２上表示板１５０Ｂの第１端縁１５１Ｂもしくは第２端縁１５２Ｂを月マーク４４に重ねることによって、当日の月齢に応じた月の形状を表現するように、第１モータ１３０Ａおよび第２モータ１３０Ｂを制御する。月の位置の表現方法は、第１実施形態の表示機構２０と同様である。
【００８２】
ここで、表示機構１２０における月齢に応じた月の形状の表現方法について詳述する。
制御部２３は、月齢が１以上７未満の場合、第２上表示板１５０Ｂの第１端縁１５１Ｂを月マーク４４に重ねるように、かつ第１上表示板１５０Ａが月マーク４４に重ならないように、第１モータ１３０Ａおよび第２モータ１３０Ｂを制御する。さらに、制御部２３は、第１上表示板１５０Ａおよび第２上表示板１５０Ｂによって下表示板４０の昼間表示領域４１ａの略全体を覆うように、第１モータ１３０Ａおよび第２モータ１３０Ｂを制御する。これにより、表示機構１２０は、三日月のように、上弦の月（半月）よりも欠けた月の形状を表現することができる。
【００８３】
制御部２３は、月齢が７以上１５未満の場合、第１上表示板１５０Ａの第１端縁１５１Ａを月マーク４４に重ねるように、かつ第２上表示板１５０Ｂが月マーク４４に重ならないように、第１モータ１３０Ａおよび第２モータ１３０Ｂを制御する。さらに、制御部２３は、第１上表示板１５０Ａおよび第２上表示板１５０Ｂによって下表示板４０の昼間表示領域４１ａの略全体を覆うように、第１モータ１３０Ａおよび第２モータ１３０Ｂを制御する。これにより、表示機構１２０は、上弦の月（半月）よりも満ちた月の形状を表現することができる。
【００８４】
制御部２３は、月齢が１６以上２２未満の場合、第２上表示板１５０Ｂの第２端縁１５２Ｂを月マーク４４に重ねるように、かつ第１上表示板１５０Ａが月マーク４４に重ならないように、第１モータ１３０Ａおよび第２モータ１３０Ｂを制御する。さらに、制御部２３は、第１上表示板１５０Ａおよび第２上表示板１５０Ｂによって下表示板４０の昼間表示領域４１ａの略全体を覆うように、第１モータ１３０Ａおよび第２モータ１３０Ｂを制御する。これにより、表示機構１２０は、下弦の月（半月）よりも満ちた月の形状を表現することができる。
【００８５】
制御部２３は、月齢が２２以上２９.５未満の場合、第１上表示板１５０Ａの第２端縁１５２Ａを月マーク４４に重ねるように、かつ第２上表示板１５０Ｂが月マーク４４に重ならないように、第１モータ１３０Ａおよび第２モータ１３０Ｂを制御する。さらに、制御部２３は、第１上表示板１５０Ａおよび第２上表示板１５０Ｂによって下表示板４０の昼間表示領域４１ａの略全体を覆うように、第１モータ１３０Ａおよび第２モータ１３０Ｂを制御する。これにより、表示機構１２０は、下弦の月（半月）よりも欠けた月の形状を表現することができる。
【００８６】
なお図示しないが、制御部２３は、月齢が１５以上１６未満の場合、第１上表示板１５０Ａおよび第２上表示板１５０Ｂが月マーク４４に重ならないように、第１モータ１３０Ａおよび第２モータ１３０Ｂを制御する。さらに、制御部２３は、第１上表示板１５０Ａおよび第２上表示板１５０Ｂによって下表示板４０の昼間表示領域４１ａの略全体を覆うように、第１モータ１３０Ａおよび第２モータ１３０Ｂを制御する。これにより、表示機構１２０は、満月の形状を表現することができる。
【００８７】
また、制御部２３は、月齢が０以上１未満の場合、および月齢が２９.５以上の場合、第１上表示板１５０Ａまたは第２上表示板１５０Ｂが月マーク４４の全体に重なるように、第１モータ１３０Ａおよび第２モータ１３０Ｂを制御する。さらに、制御部２３は、第１上表示板１５０Ａおよび第２上表示板１５０Ｂによって下表示板４０の昼間表示領域４１ａの略全体を覆うように、第１モータ１３０Ａおよび第２モータ１３０Ｂを制御する。これにより、表示機構１２０は、新月を表現することができる。
【００８８】
このように、制御部２３は、日没後から日の出前までにおいて、上表示板１５０によって月マーク４４の一部を覆いつつ下表示板４０および上表示板１５０を回転させるように、複数のモータ１３０Ａ，１３０Ｂ，１３０Ｃを制御する。
【００８９】
以上に詳述したように、本実施形態の表示機構１２０は、複数のモータ１３０Ａ，１３０Ｂ，１３０Ｃと、複数のモータ１３０Ａ，１３０Ｂ，１３０Ｃによりそれぞれ独立して駆動され、互いに同軸に設けられた複数の出力軸１３１Ａ，１３１Ｂ，１３１Ｃと、第３出力軸１３１Ｃに取り付けられた下表示板４０と、第１出力軸１３１Ａおよび第２出力軸１３１Ｂに取り付けられ、下表示板４０に対して回転可能に設けられ、下表示板４０の表示面４１の一部を覆う上表示板１５０と、複数のモータ１３０Ａ，１３０Ｂ，１３０Ｃを制御する制御部２３と、を備える。この構成によれば、第１実施形態の表示機構２０と同様の効果を奏することができる。
【００９０】
さらに、本実施形態では、上表示板１５０は、第２軸線Ｐの軸方向に互いに重ね合わせて設けられた第１上表示板１５０Ａおよび第２上表示板１５０Ｂを備える。第１上表示板１５０Ａおよび第２上表示板１５０Ｂは、互いに独立して回転可能に設けられている。この構成によれば、上表示板１５０によって覆われる下表示板４０の表示面４１の面積を適宜変化させることができる。これにより、例えば、日の出から日没までの時間に太陽マーク４３を上表示板１５０から露出した領域で移動させる際に、上表示板１５０から露出した表示面４１の面積を地域や日付等に応じて変化させることで、日の出から日没までの時間の長さを地域や日付等に応じて表示することができる。したがって、より多くの情報を表示することが可能となる。
【００９１】
また、上表示板１５０は、ＣＷ方向に向き、ＣＷ方向に向かって膨出する第１端縁１５１Ｂと、ＣＣＷ方向に向き、ＣＣＷ方向に向かって膨出する第２端縁１５２Ａと、ＣＷ方向に向き、ＣＣＷ方向に向かって窪む第１端縁１５１Ａと、ＣＣＷ方向に向き、ＣＷ方向に向かって窪む第２端縁１５２Ｂと、を備える。この構成によれば、第１端縁１５１Ｂまたは第２端縁１５２Ａを月マーク４４に重ねることによって、半月よりも欠けた月の形状を表現することができる。また、第１端縁１５１Ａまたは第２端縁１５２Ｂを月マーク４４に重ねることによって、半月よりも満ちた月の形状を表現することができる。
【００９２】
［第３実施形態］
次に、第３実施形態の時計２０１、ムーブメント２１０および表示機構２２０について説明する。第３実施形態では、下表示板２４０の表示面２４１に太陽マークが表示されていない点で、第１実施形態と異なっている。なお、以下で説明する以外の構成は、第１実施形態と同様である。
【００９３】
図１３は、第３実施形態の時計の平面図である。
図１３に示すように、時計２０１のコンプリートは、時計ケース４の内部に、ムーブメント２１０、文字板２１１、時針１２および分針１３を備える。
【００９４】
文字板２１１は、円板状に形成されている。文字板２１１には、文字板２１１を貫通する窓部１４と、窓部１４の開口縁に沿って配置された目盛り２１５と、が設けられている。目盛り２１５は、時間に関する情報を示す数字目盛り２１６と、方向に関する情報を示す方向目盛り１７と、を備える。
【００９５】
数字目盛り２１６は、後述する目盛り指示部２４６との組み合わせにより月の出からの経過時間を表示する。図示の例では、数字目盛り２１６は、第２軸線Ｐ回りを等角度間隔で並ぶ「０」から「２４」の整数を表示している。この場合、数字目盛り２１６は、窓部１４に対する上側に表示された「０」を起点とし、ムーブメント２１０の裏側から見て第２軸線Ｐ回りの時計回り方向に順に「０」から「２４」まで並んでいる。
【００９６】
図１４は、第３実施形態のムーブメントの一部を示す分解斜視図である。
図１４に示すように、ムーブメント２１０は、第２機構モジュール２１Ｂと、第２機構モジュール２１Ｂに取り付けられた下表示板２４０および上表示板２５０と、を備えている。
【００９７】
下表示板２４０および上表示板２５０は、第２機構モジュール２１Ｂの複数の出力軸３１Ａ，３１Ｂのうち、互いに異なる出力軸に取り付けられている。下表示板２４０は、第２機構モジュール２１Ｂの第２出力軸３１Ｂに取り付けられている。上表示板２５０は、第２機構モジュール２１Ｂの第１出力軸３１Ａに取り付けられている。下表示板２４０および上表示板２５０は、ムーブメント２１０の表裏方向から見て、文字板２１１の窓部１４の内側に配置されている（図１３参照）。
【００９８】
下表示板２４０は、第２軸線Ｐを中心とする円板状に形成されている。下表示板２４０は、ムーブメント２１０の裏側を向く表示面２４１を有する。表示面２４１は、文字板２１１の窓部１４を通じて視認可能とされている（図１３参照）。表示面２４１の全体には、夜間表示領域２４１ｂが設けられている。表示面２４１の夜間表示領域２４１ｂには、月を示す月マーク４４を含む絵柄が表示されている。月マーク４４は、円形状に形成されている。なお、図示の例では、表示面２４１に表示された絵柄として、複数の星マークを含んでいる。複数の星マークは、表示面２４１の全体において、月マーク４４を避けつつランダムに配置されている。
【００９９】
また、下表示板２４０の表示面２４１には、目盛り指示部２４６が設けられている。目盛り指示部２４６は、下表示板２４０の回転位置に応じて、文字板２１１の目盛り２１５（図１３参照）を指示するマークである。目盛り指示部２４６は、第２軸線Ｐ回りの周方向において、月マーク４４の中心に対してＣＷ方向に９０°ずれた位置に設けられている。
【０１００】
上表示板２５０は、下表示板２４０に対して回転可能に設けられている。上表示板２５０は、下表示板２４０の表示面２４１の一部を覆う。上表示板２５０は、第２軸線Ｐを中心とする中心角が１８０°よりも大きい扇形状に形成されている。上表示板２５０は、ＣＷ方向に向く第１端縁２５１（第１凸端縁）と、ＣＣＷ方向に向く第２端縁２５２（第２凸端縁）と、を備えている。第１端縁２５１は、ＣＷ方向に向かって膨出する円弧状に延びている。第２端縁２５２は、ＣＣＷ方向に向かって膨出する円弧状に延びている。
【０１０１】
さらに、上表示板２５０には、下表示板２４０の表示面２４１をムーブメント２１０の裏側に向けて露出させる開口部２５６が形成されている。開口部２５６は、第２軸線Ｐ回りの周方向の中央に設けられている。開口部２５６は、上表示板２５０の外周縁から第２軸線Ｐに向かって切り欠かれている。開口部２５６は、ＣＷ方向に向く第１開口縁２５７（第１凹端縁）と、ＣＣＷ方向に向く第２開口縁２５８（第２凹端縁）と、により画成されている。第１開口縁２５７は、ＣＣＷ方向に向かって窪む円弧状に延びている。第２開口縁２５８は、ＣＷ方向に向かって窪む円弧状に延びている。開口部２５６は、第１開口縁２５７と第２開口縁２５８との間に月マーク４４の全体が配置可能に形成されている。上表示板２５０は、第１端縁２５１と第２開口縁２５８との間の部分、および第２端縁２５２と第１開口縁２５７との間の部分のそれぞれによって、月マーク４４の全体を覆うことが可能となるように形成されている。
【０１０２】
本実施形態のムーブメント２１０は、第２機構モジュール２１Ｂの複数のモータ３０Ａ，３０Ｂおよび複数の出力軸３１Ａ，３１Ｂと、下表示板２４０と、上表示板２５０と、制御部２３と、を有する表示機構２２０をさらに備える。以下、本実施形態の表示機構２２０の動作について、図１５を参照して説明する。なお、以下の説明における各構成部品の符号については、図１３および図１４を参照されたい。
【０１０３】
図１５は、第３実施形態の表示機構の表示例を示す図である。図１５に示す例は、月齢の異なる複数の日の夜間の表示形態である。
表示機構２２０は、第１実施形態の表示機構２０と同様に、日没時刻から第１所定時間経過後から、翌日の日の出の時刻の第１所定時間前まで、月の位置、月の出からの経過時間、および月齢を表示する。制御部２３は、上表示板２５０の第１端縁２５１もしくは第２端縁２５２、または上表示板２５０の開口部２５６の第１開口縁２５７もしくは第２開口縁２５８を月マーク４４に重ねることによって、当日の月齢に応じた月の形状を表現するように、第１モータ３０Ａを制御する。月の位置の表現方法は、第１実施形態の表示機構２０と同様である。月の出からの経過時間は、目盛り指示部２４６によって指示される数字目盛り２１６の数字である。
【０１０４】
ここで、表示機構２２０における月齢に応じた月の形状の表現方法について詳述する。
制御部２３は、月齢が１以上７未満の場合、上表示板２５０の第１端縁２５１を月マーク４４に重ねるように、第１モータ３０Ａを制御する。これにより、表示機構２２０は、三日月のように、上弦の月（半月）よりも欠けた月の形状を表現することができる。
【０１０５】
制御部２３は、月齢が７以上１５未満の場合、上表示板２５０の開口部２５６の第１開口縁２５７を月マーク４４に重ねるように、第１モータ３０Ａを制御する。これにより、表示機構２２０は、上弦の月（半月）よりも満ちた月の形状を表現することができる。
【０１０６】
制御部２３は、月齢が１５以上１６未満の場合、上表示板２５０の開口部２５６の内側に月マーク４４が位置するように、第１モータ３０Ａを制御する。これにより、表示機構２２０は、満月の形状を表現することができる。なお、制御部２３は、月齢が１５以上１６未満の場合、上表示板２５０の第１端縁２５１よりもＣＷ方向下流側、かつ第２端縁２５２よりもＣＣＷ方向下流側に月マーク４４が位置するように、第１モータ３０Ａを制御してもよい。
【０１０７】
制御部２３は、月齢が１６以上２２未満の場合、上表示板２５０の開口部２５６の第２開口縁２５８を月マーク４４に重ねるように、第１モータ３０Ａを制御する。これにより、表示機構２２０は、下弦の月（半月）よりも満ちた月の形状を表現することができる。
【０１０８】
制御部２３は、月齢が２２以上２９.５未満の場合、上表示板２５０の第２端縁２５２を月マーク４４に重ねるように、第１モータ３０Ａを制御する。これにより、表示機構２２０は、下弦の月（半月）よりも欠けた月の形状を表現することができる。
【０１０９】
なお図示しないが、制御部２３は、月齢が０以上１未満の場合、および月齢が２９.５以上の場合、上表示板２５０が月マークの全体に重なるように、第１モータ３０Ａを制御する。これにより、表示機構２２０は、新月を表現することができる。
【０１１０】
このように、制御部２３は、日没後から日の出前までにおいて、上表示板２５０によって月マーク４４の一部を覆いつつ下表示板２４０および上表示板２５０を回転させるように、複数のモータ３０Ａ，３０Ｂを制御する。
【０１１１】
以上に詳述したように、本実施形態の表示機構２２０は、複数のモータ３０Ａ，３０Ｂと、複数のモータ３０Ａ，３０Ｂによりそれぞれ独立して駆動され、互いに同軸に設けられた複数の出力軸３１Ａ，３１Ｂと、第２出力軸３１Ｂに取り付けられ、月マーク４４が表示された表示面２４１を有する下表示板２４０と、第１出力軸３１Ａに取り付けられ、下表示板２４０に対して回転可能に設けられ、下表示板２４０の表示面２４１の一部を覆う上表示板２５０と、複数のモータ３０Ａ，３０Ｂを制御する制御部２３と、を備える。この構成によれば、第１実施形態の表示機構２０と同様に、時刻に応じて変化する情報、および日付に応じて変化する情報のように、互いに相違するパラメータに応じて変化する複数の情報を同時に表示できる。
【０１１２】
さらに、本実施形態では、上表示板２５０は、ＣＷ方向に向き、ＣＷ方向に向かって膨出する第１端縁２５１と、ＣＣＷ方向に向き、ＣＣＷ方向に向かって膨出する第２端縁２５２と、ＣＷ方向に向き、ＣＣＷ方向に向かって窪む第１開口縁２５７と、ＣＣＷ方向に向き、ＣＷ方向に向かって窪む第２開口縁２５８と、を備える。この構成によれば、第２実施形態の表示機構１２０と同様に、半月よりも欠けた月の形状、および半月よりも満ちた月の形状を表現することができる。
【０１１３】
［第４実施形態］
次に、第４実施形態の時計３０１、ムーブメント３１０および表示機構３２０について説明する。第４実施形態では、下表示板３４０の表示面３４１に、半円状に形成された月マークを含む月マーク３４４が表示されている点で、第３実施形態と異なっている。なお、以下で説明する以外の構成は、第３実施形態と同様である。
【０１１４】
図１６は、第４実施形態の時計の平面図である。
図１６に示すように、時計３０１のコンプリートは、時計ケース４の内部に、ムーブメント３１０、文字板３１１、時針１２および分針１３を備える。
【０１１５】
文字板３１１は、円板状に形成されている。文字板３１１には、文字板３１１を貫通する窓部１４と、窓部１４の開口縁に沿って配置された方向目盛り１７と、が設けられている。
【０１１６】
図１７は、第４実施形態のムーブメントの一部を示す分解斜視図である。
図１７に示すように、ムーブメント３１０は、第２機構モジュール２１Ｂと、第２機構モジュール２１Ｂに取り付けられた下表示板３４０および上表示板３５０と、を備えている。
【０１１７】
下表示板３４０および上表示板３５０は、第２機構モジュール２１Ｂの複数の出力軸３１Ａ，３１Ｂのうち、互いに異なる出力軸に取り付けられている。下表示板３４０は、第２機構モジュール２１Ｂの第２出力軸３１Ｂに取り付けられている。上表示板３５０は、第２機構モジュール２１Ｂの第１出力軸３１Ａに取り付けられている。下表示板３４０および上表示板３５０は、ムーブメント３１０の表裏方向から見て、文字板３１１の窓部１４の内側に配置されている（図１６参照）。
【０１１８】
下表示板３４０は、第２軸線Ｐを中心とする円板状に形成されている。下表示板３４０は、ムーブメント３１０の裏側を向く表示面３４１を有する。表示面３４１は、文字板３１１の窓部１４を通じて視認可能とされている（図１６参照）。表示面３４１の全体には、夜間表示領域３４１ｂが設けられている。表示面３４１の夜間表示領域３４１ｂには、月を示す月マーク３４４を含む絵柄が表示されている。月マーク３４４は、円形状に形成され満月を示す満月マーク３４４Ａと、満月マーク３４４Ａと同径の半円状に形成され上弦の月を示す上弦月マーク３４４Ｂ（半月マーク）と、満月マーク３４４Ａと同径の半円状に形成され下弦の月を示す下弦月マーク３４４Ｃ（半月マーク）と、を含む。月マーク３４４は、満月マーク３４４Ａ、上弦月マーク３４４Ｂ、下弦月マーク３４４Ｃがこの順にＣＣＷ方向に並ぶように設けられている。なお、図示の例では、表示面３４１に表示された絵柄として、複数の星マークを含んでいる。複数の星マークは、表示面３４１の全体において、月マーク３４４を避けつつランダムに配置されている。
【０１１９】
上表示板３５０は、下表示板３４０に対して回転可能に設けられている。上表示板３５０は、下表示板３４０の表示面３４１の一部を覆う。上表示板３５０は、第２軸線Ｐを中心とする円形状に形成されている。上表示板３５０には、下表示板３４０の表示面３４１をムーブメント３１０の裏側に向けて露出させる第１開口部３５６Ａおよび第２開口部３５６Ｂが形成されている。第１開口部３５６Ａは、上表示板３５０の外周縁から第２軸線Ｐに向かって切り欠かれている。第１開口部３５６Ａは、ＣＷ方向に向く第１開口縁３５１（第１凸端縁）と、ＣＣＷ方向に向く第２開口縁３５２（第２凸端縁）と、により画成されている。第１開口縁３５１は、ＣＷ方向に向かって膨出する円弧状に延びている。第２開口縁３５２は、ＣＣＷ方向に向かって膨出する円弧状に延びている。第１開口部３５６Ａは、第１開口縁３５１と第２開口縁３５２との間に満月マーク３４４Ａの全体が配置可能に形成されている。これにより、第１開口部３５６Ａは、第１開口縁３５１と第２開口縁３５２との間に上弦月マーク３４４Ｂの全体、および下弦月マーク３４４Ｃが各別に配置可能となっている。
【０１２０】
第２開口部３５６Ｂは、第２軸線Ｐ回りの周方向において、第１開口部３５６Ａに対して１８０°ずれた位置に設けられている。第２開口部３５６Ｂは、上表示板３５０の外周縁から第２軸線Ｐに向かって切り欠かれている。第２開口部３５６Ｂは、ＣＷ方向に向く第３開口縁３５７（第１凹端縁）と、ＣＣＷ方向に向く第４開口縁３５８（第２凹端縁）と、により画成されている。第３開口縁３５７は、ＣＣＷ方向に向かって窪む円弧状に延びている。第４開口縁３５８は、ＣＷ方向に向かって窪む円弧状に延びている。第２開口部３５６Ｂは、第３開口縁３５７と第４開口縁３５８との間に月マーク４４の全体が配置可能に形成されている。上表示板３５０は、第１開口縁３５１と第４開口縁３５８との間の部分、および第２開口縁３５２と第３開口縁３５７との間の部分のそれぞれによって、満月マーク３４４Ａ、上弦月マーク３４４Ｂおよび下弦月マーク３４４Ｃそれぞれの全体を各別に覆うことが可能となるように形成されている。
【０１２１】
本実施形態のムーブメント３１０は、第２機構モジュール２１Ｂの複数のモータ３０Ａ，３０Ｂおよび複数の出力軸３１Ａ，３１Ｂと、下表示板３４０と、上表示板３５０と、制御部２３と、を有する表示機構３２０をさらに備える。以下、本実施形態の表示機構３２０の動作について、図１８を参照して説明する。なお、以下の説明における各構成部品の符号については、図１６および図１７を参照されたい。
【０１２２】
図１８は、第４実施形態の表示機構の表示例を示す図である。図１８に示す例は、月齢の異なる複数の日の夜間の表示形態である。  表示機構３２０は、第３実施形態の表示機構２２０と同様に、月の位置、および月齢を表示する。制御部２３は、上表示板３５０の第１開口部３５６Ａの第１開口縁３５１もしくは第２開口縁３５２、または上表示板３５０の第２開口部３５６Ｂの第３開口縁３５７もしくは第４開口縁３５８を月マーク３４４に重ねることによって、当日の月齢に応じた月の形状を表現するように、第１モータ３０Ａを制御する。月の位置の表現方法は、第１実施形態の表示機構２０と同様である。
【０１２３】
図１８において、表示機構３２０における月齢に応じた月の形状の表現方法について詳述する。
制御部２３は、月齢が０以上１未満の場合、および月齢が２９.５以上の場合、上表示板３５０が月マーク３４４の全体に重なるように、第１モータ３０Ａを制御する。これにより、表示機構３２０は、新月を表現することができる。
【０１２４】
制御部２３は、月齢が１以上７未満の場合、上表示板３５０の第１開口部３５６Ａの第１開口縁３５１を上弦月マーク３４４Ｂに重ねるように、第１モータ３０Ａを制御する。これにより、表示機構３２０は、三日月のように、上弦の月（半月）よりも欠けた月の形状を表現することができる。なお、制御部２３は、月齢が１以上７未満の場合、上表示板３５０の第１開口部３５６Ａの第１開口縁３５１を満月マーク３４４Ａに重ねるように、第１モータ３０Ａを制御してもよい。
【０１２５】
制御部２３は、月齢が８以上９未満の場合、上表示板３５０の第１開口部３５６Ａの内側に上弦月マーク３４４Ｂが位置するように、第１モータ３０Ａを制御する。これにより、表示機構３２０は、上弦の月の形状を表現することができる。
【０１２６】
制御部２３は、月齢が９以上１５未満の場合、上表示板３５０の第２開口部３５６Ｂの第３開口縁３５７を満月マーク３４４Ａに重ねるように、第１モータ３０Ａを制御する。これにより、表示機構２２０は、上弦の月（半月）よりも満ちた月の形状を表現することができる。
【０１２７】
制御部２３は、月齢が１５以上１６未満の場合、上表示板３５０の第２開口部３５６Ｂの内側に満月マーク３４４Ａが位置するように、第１モータ３０Ａを制御する。これにより、表示機構２２０は、満月の形状を表現することができる。なお、制御部２３は、月齢が１５以上１６未満の場合、上表示板３５０の第１開口部３５６Ａの内側に満月マーク３４４Ａが位置するように、第１モータ３０Ａを制御してもよい。
【０１２８】
制御部２３は、月齢が１６以上２２未満の場合、上表示板３５０の第２開口部３５６Ｂの第４開口縁３５８を満月マーク３４４Ａに重ねるように、第１モータ３０Ａを制御する。これにより、表示機構２２０は、下弦の月（半月）よりも満ちた月の形状を表現することができる。
【０１２９】
制御部２３は、月齢が２２以上２３未満の場合、上表示板３５０の第２開口部３５６Ｂの内側に下弦月マーク３４４Ｃが位置するように、第１モータ３０Ａを制御する。これにより、表示機構３２０は、下弦の月の形状を表現することができる。
【０１３０】
制御部２３は、月齢が２３以上２９．５未満の場合、上表示板３５０の第１開口部３５６Ａの第２開口縁３５２を下弦月マーク３４４Ｃに重ねるように、第１モータ３０Ａを制御する。これにより、表示機構３２０は、下弦の月（半月）よりも欠けた月の形状を表現することができる。なお、制御部２３は、月齢が２２以上２３未満の場合、上表示板３５０の第１開口部３５６Ａの第２開口縁３５２を満月マーク３４４Ａに重ねるように、第１モータ３０Ａを制御してもよい。
【０１３１】
このように、制御部２３は、上表示板３５０によって月マーク３４４の一部を覆いつつ下表示板３４０および上表示板３５０を回転させるように、複数のモータ３０Ａ，３０Ｂを制御する。
【０１３２】
以上に詳述したように、本実施形態の表示機構３２０は、複数のモータ３０Ａ，３０Ｂと、複数のモータ３０Ａ，３０Ｂによりそれぞれ独立して駆動され、互いに同軸に設けられた複数の出力軸３１Ａ，３１Ｂと、第２出力軸３１Ｂに取り付けられ、月マーク３４４が表示された表示面３４１を有する下表示板３４０と、第１出力軸３１Ａに取り付けられ、下表示板３４０に対して回転可能に設けられ、下表示板３４０の表示面３４１の一部を覆う上表示板３５０と、複数のモータ３０Ａ，３０Ｂを制御する制御部２３と、を備える。この構成によれば、第１実施形態の表示機構２０と同様に、時刻に応じて変化する情報、および日付に応じて変化する情報のように、互いに相違するパラメータに応じて変化する複数の情報を同時に表示できる。
【０１３３】
また、月マーク３４４は、円形状の満月マーク３４４Ａと、半円状の上弦月マーク３４４Ｂおよび下弦月マーク３４４Ｃと、を含む。これにより、上弦月マーク３４４Ｂまたは下弦月マーク３４４Ｃの全体を視認させることにより、上弦の月および下弦の月のそれぞれを表現することができる。したがって、表示機構３２０は、月齢に応じた月の満ち欠けをより忠実に表現することができる。
【０１３４】
さらに、本実施形態では、上表示板３５０は、ＣＷ方向に向き、ＣＷ方向に向かって膨出する第１開口縁３５１と、ＣＣＷ方向に向き、ＣＣＷ方向に向かって膨出する第２開口縁３５２と、ＣＷ方向に向き、ＣＣＷ方向に向かって窪む第３開口縁３５７と、ＣＣＷ方向に向き、ＣＷ方向に向かって窪む第４開口縁３５８と、を備える。この構成によれば、第２実施形態の表示機構１２０と同様に、半月よりも欠けた月の形状、および半月よりも満ちた月の形状を表現することができる。
【０１３５】
なお、本発明は、図面を参照して説明した上述の実施形態に限定されるものではなく、その技術的範囲において様々な変形例が考えられる。
例えば、上記実施形態では、下表示板の表示面に少なくとも月マーク４４が表示された構成を説明したが、これに限定されず、太陽マークのみが表示された構成であってもよい。
【０１３６】
また、上記実施形態では、下表示板４０，２４０，３４０および上表示板５０，１５０，２５０，３５０が文字板１１の窓部１４の内側に配置されているが、これに限定されない。例えば文字板に窓部を設けず、下表示板および上表示板が目盛り１５，２１５の内側において文字板に重なるように設けられていてもよい。
また、上記実施形態では、表示機構が文字板１１を含まないものとして説明したが、これに限定されない。すなわち、ムーブメントに文字板１１を含めるとともに、表示機構に目盛り１５，２１５を含めてもよい。
【０１３７】
その他、本発明の趣旨を逸脱しない範囲で、上記した実施の形態における構成要素を周知の構成要素に置き換えることは適宜可能であり、また、上述した各実施形態を適宜組み合わせてもよい。
【符号の説明】
【０１３８】
１，１０１，２０１…時計  １０，１１０，２１０，３１０…ムーブメント  １１…文字板  １５…目盛り  ２０，１２０，２２０，３２０…表示機構  ２３…制御部  ３０Ａ，１３０Ａ…第１モータ（モータ）  ３０Ｂ，１３０Ｂ…第２モータ（モータ）  ３１Ａ，１３１Ａ…第１出力軸（出力軸）  ３１Ｂ，１３１Ｂ…第２出力軸（出力軸）  ４０，２４０，３４０…下表示板  ４１，２４１，３４１…表示面  ４３…太陽マーク（絵柄）  ４４，３４４…月マーク（絵柄）  ５０，１５０，２５０，３５０…上表示板  ５４Ａ，５４Ｂ，２４６…目盛り指示部  １３０Ｃ…第３モータ（モータ）  １３１Ｃ…第３出力軸（出力軸）  １５０Ａ…第１上表示板  １５０Ｂ…第２上表示板  １５１Ａ…第１端縁（第１凹端縁）  １５１Ｂ…第１端縁（第１凸端縁）  １５２Ａ…第２端縁（第２凸端縁）  １５２Ｂ…第２端縁（第２凹端縁）  ２４６…目盛り指示部  ２５１…第１端縁（第１凸端縁）  ２５２…第２端縁（第２凸端縁）  ２５７…第１開口縁（第１凹端縁）  ２５８…第２開口縁（第２凹端縁）  ３５１…第１開口縁（第１凸端縁）  ３５２…第２開口縁（第２凸端縁）  ３５７…第３開口縁（第１凹端縁）  ３５８…第４開口縁（第２凹端縁）
【図１】
2019144127.tif 000003
【図２】
2019144127.tif 000004
【図３】
2019144127.tif 000005
【図４】
2019144127.tif 000006
【図５】
2019144127.tif 000007
【図６】
2019144127.tif 000008
【図７】
2019144127.tif 000009
【図８】
2019144127.tif 000010
【図９】
2019144127.tif 000011
【図１０】
2019144127.tif 000012
【図１１】
2019144127.tif 000013
【図１２】
2019144127.tif 000014
【図１３】
2019144127.tif 000015
【図１４】
2019144127.tif 000016
【図１５】
2019144127.tif 000017
【図１６】
2019144127.tif 000018
【図１７】
2019144127.tif 000019
【図１８】
2019144127.tif 000020